【手続補正書】
【提出日】平成21年1月9日(2009.1.9)
【手続補正１】
【補正対象書類名】特許請求の範囲
【補正対象項目名】全文
【補正方法】変更
【補正の内容】
【特許請求の範囲】
【請求項１】
反射部材を含む撮影光学系および撮像素子を収容した鏡筒ユニットと、
該鏡筒ユニットを回転可能に支持する支持部材と、
前記鏡筒ユニット内に収容され、前記支持部材に対して前記鏡筒ユニットを回転させるアクチュエータとを有し、
前記アクチュエータは、前記撮影光学系のうち前記反射部材よりも前記撮像素子側の光学系部分の光軸の周りで前記撮影光学系を回転させることを特徴とする撮像装置。
【請求項２】
前記アクチュエータと前記支持部材との間に構成された駆動力伝達機構を有し、
前記駆動力伝達機構は、前記支持部材との連結部を除いて、前記鏡筒ユニット内に収容されていることを特徴とする請求項１に記載の撮像装置。
【請求項３】
前記アクチュエータは、前記鏡筒ユニット内において、前記撮像素子よりも前記光軸の方向における被写体側に配置されていることを特徴とする請求項１又は２に記載の撮像装置。
【請求項４】
前記アクチュエータは、光量を調節する光量調節ユニットに固定されていることを特徴とする請求項１から３のいずれか１つに記載の撮像装置。
【請求項５】
前記駆動力伝達機構の少なくとも一部が、前記光量調節ユニットにおける前記アクチュエータとは反対側に配置されていることを特徴とする請求項２に記載の撮像装置。
【請求項６】
前記連結部は、前記駆動力伝達機構を最終段ギアの一部であり、
前記支持部材における前記鏡筒ユニットの外周を囲む部分に、該ギアに噛み合う内歯ギアが形成されていることを特徴とする請求項２に記載の撮像装置。
【請求項７】
前記反射部材を回転させる他のアクチュエータを有し、
該他のアクチュエータは、前記反射部材における反射面の背面と該反射部材を保持する部材とにより形成されたスペースに配置されていることを特徴とする請求項１から６のいずれか１つに記載の撮像装置。
【手続補正２】
【補正対象書類名】明細書
【補正対象項目名】０００６
【補正方法】変更
【補正の内容】
【０００６】
本発明の一側面としての撮像装置は、反射部材を含む撮影光学系および撮像素子を収容した鏡筒ユニットと、該鏡筒ユニットを回転可能に支持する支持部材と、鏡筒ユニット内に収容され、支持部材に対して鏡筒ユニットを回転させるアクチュエータとを有する。そして、アクチュエータは、撮影光学系のうち反射部材よりも撮像素子側の光学系部分の光軸の周りで撮影光学系を回転させることを特徴とする。
【手続補正３】
【補正対象書類名】明細書
【補正対象項目名】００１０
【補正方法】変更
【補正の内容】
【００１０】
図１において、Ａは反射撮影光学系における後述するプリズムよりも対物側の部分（被写体側の光学系部分）の光軸であり、以下、第１の光軸という。また、Ｂは反射撮影光学系におけるプリズムよりも像側の部分（撮像素子側の光学系部分）の光軸であり、第１の光軸Ａに直交する第２の光軸である。
【手続補正４】
【補正対象書類名】明細書
【補正対象項目名】００１５
【補正方法】変更
【補正の内容】
【００１５】
プリズム２の反射面２ｃが図２に示す実線の位置（水平方向に対して４５度をなす位置）から角度θ傾き、破線で示す位置に回転すると、第１の光軸Ａは水平方向から角度２θ傾く。このため、対物レンズ１も水平方向に対して角度２θ傾けて、対物レンズ１の光軸と第１の光軸Ａとを一致させる必要がある。つまり、このような反射撮影光学系においては、プリズム２をθ回転させたときに、対物レンズ１を２θ回転させる必要がある。
【手続補正５】
【補正対象書類名】明細書
【補正対象項目名】００２１
【補正方法】変更
【補正の内容】
【００２１】
１０はチルト地板であり、４箇所の穴部１０ｃ(２つのみ図示する)に挿入された４つのネジ（図示せず）を、撮影レンズホルダー９に形成された４箇所のネジ穴部９ａ(３つのみ図示する)に締め込むことで、撮影レンズホルダー９に固定される。チルト地板１０は、撮影レンズホルダー９に取り付けられた状態で、その内部に、対物レンズ１を保持した対物レンズホルダー７とプリズム２を保持したプリズムホルダー８とを上下方向（チルト方向）に回動可能に支持する。
【手続補正６】
【補正対象書類名】明細書
【補正対象項目名】００２２
【補正方法】変更
【補正の内容】
【００２２】
１１はチルト駆動レバーである。該チルト駆動レバー１１には、その回動中心を形成する２箇所の穴部１１ａが形成されている。１２は２つのチルトレバー支持ピン(１つのみ図示する)である。これらチルトレバー支持ピン１２は、チルト駆動レバー１１の２つの穴部１１ａに対して相対回動可能に組み込まれる。また、該チルトレバー支持ピン１２は、チルト地板１０の２箇所の穴部１０ａにそれぞれ圧入される。これにより、チルト駆動レバー１１は、チルト地板１０によって回動可能に支持される。
【手続補正７】
【補正対象書類名】明細書
【補正対象項目名】００２４
【補正方法】変更
【補正の内容】
【００２４】
１６は第１減速ギア、１７は第２減速ギアであり、それぞれチルトギア地板１３の支軸１３ａ，１３ｂに回転可能に取り付けられる。ステッピングモータ１４の回転は、ピニオンギア１５を介して、第１減速ギア１６および第２減速ギア１７へと伝達される。また、第２減速ギア１７には、係合突起１７ａが一体形成されている。係合突起１７ａは、チルト駆動レバー１１の係合溝部１１ｂに係合する。これにより、チルト駆動レバー１１は係合突起１７ａから力を受けてチルトレバー支持ピン１２を支点として回動駆動される。
【手続補正８】
【補正対象書類名】明細書
【補正対象項目名】００４１
【補正方法】変更
【補正の内容】
【００４１】
この第１減速ギア１６の回転は、第２減速ギア１７に伝達され、第２減速ギア１７は時計回り方向に回転する。この回転により、チルト駆動レバー１１の係合溝部１１ｂには、第２減速ギア１７に設けられた係合突部１７ａから、図７中の下方向に押す力が作用する。この結果、チルト駆動レバー１１は、チルトレバー支持ピン１２を支点として図７中の時計回り方向に回転する。
【手続補正９】
【補正対象書類名】明細書
【補正対象項目名】００５１
【補正方法】変更
【補正の内容】
【００５１】
３３は被写体光の通過量を制御するためのアイリスユニット（光量を調節する光量調節ユニット）である。アイリスユニット３３には、駆動力伝達機構としてのパンニング駆動機構が取り付けられている。パンニング駆動機構は、鏡筒ユニット全体を第２の光軸Ｂの周りで回転させ、パンニング撮影を可能とする。
【手続補正１０】
【補正対象書類名】明細書
【補正対象項目名】００５３
【補正方法】変更
【補正の内容】
【００５３】
３５はアイリス地板３４に不図示のネジによって固定されたアクチュエータとしてのステッピングモータである。このステッピングモータ３５は、撮像素子ホルダー２３の内部、つまりは鏡筒ユニットの内部（撮像素子６よりも光軸Ｂの方向における被写体側）に収容される。ステッピングモータ３５は撮像装置の構成部品として比較的大きいため、これを鏡筒ユニットの外部に配置すると、撮像装置が全体として大型化する。しかし、本実施例のように鏡筒ユニットの内部に収容することにより、撮像装置を小型化することができる。
【手続補正１１】
【補正対象書類名】明細書
【補正対象項目名】００６４
【補正方法】変更
【補正の内容】
【００６４】
アイリスユニット３３は、図８に示す撮像素子ホルダー２３に不図示のネジによって固定される。また、第２および第４レンズホルダー２５，３１は、前述したように２本のガイドバー２６，２７によって支持されている。
【手続補正１２】
【補正対象書類名】明細書
【補正対象項目名】００６５
【補正方法】変更
【補正の内容】
【００６５】
鏡筒ユニット全体をパンニング方向に回転させるため、ステッピングモータ３５が回転すると、その駆動力が前述したように各減速ギアを介して出力ギア４１に伝達される。前述したように、出力ギア４１は、撮像素子ホルダー２３の外周面からその一部が突出し、後述するように鏡筒ユニット全体をパンニング方向に回転させるよう機能する。
【手続補正１３】
【補正対象書類名】明細書
【補正対象項目名】００６９
【補正方法】変更
【補正の内容】
【００６９】
支持部材４８には、内歯ギア４８ａが形成されており、該内歯ギア４８ａは、撮像素子ホルダー２３の外周面から突出した出力ギア４１の一部、すなわち減速ギアユニットにおける支持部材４８との連結部と噛み合っている。